(57)【要約】【課題】メタデータ登録時の煩雑な作業を簡略化することが可能となるメタデータ自動作成装置、メタデータ自動作成方法および該作成方法を実現するためのプログラムを提供する。【解決手段】デジタルカメラを用いて画像を撮影すると、撮影された画像は、デジタルカメラの液晶ディスプレイに数秒間表示されるので、その表示期間中に、受信モードＯＮ／ＯＦＦボタンを押し、赤外線ポートのデータ受信モードをＯＮにすると、受信モードランプが点滅を開始する。この点滅期間中に、携帯情報端末から、たとえばＶ−Ｃａｒｄ形式の個人情報を赤外線ポート経由で、デジタルカメラに送信する。個人情報を受信すると、デジタルカメラ１は、Ｖ−Ｃａｒｄ形式の個人情報をＸＭＬ形式に変換し、さらに、画像に登録する形式である、メタデータに成形する。そして、成形された追加用個人情報４３が、画像の撮影された条件、画像の構成などの、画像全般に関わるデータが記述されているメタデータに、追加記述される。【選択図】　　　図１１
2004133536.tif 000002
【特許請求の範囲】
【請求項１】
外部装置から送信された個人情報を受信する受信手段と、
該受信手段を介して受信した個人情報に基づいて、バイナリデータに対するメタデータを作成するメタデータ作成手段と
を有することを特徴とするメタデータ自動作成装置。
【請求項２】
前記メタデータ作成手段によるメタデータ作成後、該当するバイナリデータにメタデータを登録するメタデータ登録手段をさらに有することを特徴とする請求項１に記載のメタデータ自動作成装置。
【請求項３】
前記バイナリデータは、静止画像データ、動画像データまたは音声データであることを特徴とする請求項１または２に記載のメタデータ自動作成装置。
【請求項４】
前記メタデータは、データ記述言語で記述されていることを特徴とする請求項１〜３のいずれかに記載のメタデータ自動作成装置。
【請求項５】
前記データ記述言語は、ＸＭＬまたはＳＧＭＬであることを特徴とする請求項４に記載のメタデータ自動作成装置。
【請求項６】
前記メタデータは、バイナリデータの末尾に付加され、またはバイナリデータのヘッダ部分に記載されていることを特徴とする請求項１に記載のメタデータ自動作成装置。
【請求項７】
前記メタデータは、バイナリデータとリンクを貼ることにより、対応するバイナリデータと関連づけられていることを特徴とする請求項１に記載のメタデータ自動作成装置。
【請求項８】
前記メタデータは、複数のバイナリデータとリンクを貼ることにより、対応する複数のバイナリデータと関連付けられていることを特徴とする請求項１に記載のメタデータ自動作成装置。
【請求項９】
前記外部装置は、携帯情報端末または携帯電話であることを特徴とする請求項１に記載のメタデータ自動作成装置。
【請求項１０】
前記個人情報は、Ｖ−Ｃａｒｄ形式、ＸＭＬまたはＣＳＶ形式で記述されていることを特徴とする請求項１に記載のメタデータ自動作成装置。
【請求項１１】
前記受信手段は、赤外線ポート、ブルートゥース、無線ＬＡＮ、ＵＳＢ、シリアルポートまたはパラレルポートを用いて個人情報を受信することを特徴とする請求項１に記載のメタデータ自動作成装置。
【請求項１２】
前記受信手段による個人情報の受信は、メタデータを登録する画像の撮影直前または直後に行われることを特徴とする請求項１に記載のメタデータ自動作成装置。
【請求項１３】
前記受信手段による個人情報の受信は、メタデータを登録する画像の撮影後、画像を再生するモードで行われることを特徴とする請求項１に記載のメタデータ自動作成装置。
【請求項１４】
アドレス帳に個人情報の更新日時を記録するアドレス帳更新日時記録手段と、
メタデータに個人情報の更新日時を記録するメタデータ更新日時記録手段と、アドレス帳の個人情報と１対１に対応するメタデータの個人情報を特定する個人情報特定手段と、
アドレス帳更新日時記録手段によって記録されたアドレス帳の個人情報の更新日時と、前記個人情報特定手段によって特定されたメタデータの個人情報中、前記メタデータ更新日時記録手段によって記録された更新日時とを比較することによって、どちらが最新の情報であるかを判断する最新情報判断手段と、
該最新情報判断手段によって、最新でないと判断された個人情報を、最新の情報に書き換える個人情報書き換え手段と
を有することを特徴とするメタデータ自動更新装置。
【請求項１５】
アドレス帳の個人情報と１対１に対応するメタデータの個人情報を特定する個人情報特定手段と、
アドレス帳の個人情報の情報量と、前記個人情報特定手段によって特定されたメタデータの個人情報の情報量とを比較することによって、どちらの情報量が多いかを判断する情報量判断手段と、
該情報量判断手段によって、情報量が少ないと判断された個人情報を、情報量の多い個人情報に書き換える個人情報書き換え手段と
を有することを特徴とするメタデータ自動更新装置。
【請求項１６】
前記メタデータの個人情報が更新されたときに、該更新が行われたことを、当該メタデータに記述された個人情報に含まれる各人全てに対して通知する更新通知手段をさらに備えることを特徴とする請求項１４または１５に記載のメタデータ自動更新装置。
【請求項１７】
前記更新通知手段は、電子メールを用いて通知することを特徴とする請求項１６に記載のメタデータ自動更新装置。
【請求項１８】
外部装置から送信された個人情報を、受信手段を介して受信し、
前記受信手段を介して受信した個人情報に基づいて、バイナリデータに対するメタデータを作成する
ことを特徴とするメタデータ自動作成方法。
【請求項１９】
アドレス帳に個人情報の更新日時を記録し、
メタデータに個人情報の更新日時を記録し、
アドレス帳の個人情報と１対１に対応するメタデータの個人情報を特定し、
前記記録されたアドレス帳の個人情報の更新日時と、前記特定されたメタデータの個人情報中、前記記録された更新日時とを比較することによって、どちらが最新の情報であるかを判断し、
該判断の結果、最新でないと判断された個人情報を、最新の情報に書き換えることを特徴とするメタデータ更新方法。
【請求項２０】
アドレス帳の個人情報と１対１に対応するメタデータの個人情報を特定し、
アドレス帳の個人情報の情報量と、前記特定されたメタデータの個人情報の情報量とを比較することによって、どちらの情報量が多いかを判断し、
該判断の結果、情報量が少ないと判断された個人情報を、情報量の多い個人情報に書き換える
ことを特徴とするメタデータ更新方法。
【請求項２１】
外部装置から送信された個人情報を、受信手段を介して受信する受信手順と、
前記受信手段を介して受信した個人情報に基づいて、バイナリデータに対するメタデータを作成するメタデータ作成手順と
をコンピュータに実行させるためのプログラム。
【請求項２２】
アドレス帳に個人情報の更新日時を記録するアドレス帳更新日時記録手順と、
メタデータに個人情報の更新日時を記録するメタデータ更新日時記録手順と、アドレス帳の個人情報と１対１に対応するメタデータの個人情報を特定する個人情報特定手順と、
アドレス帳更新日時記録手順によって記録されたアドレス帳の個人情報の更新日時と、前記個人情報特定手順によって特定されたメタデータの個人情報中、前記メタデータ更新日時記録手順によって記録された更新日時とを比較することによって、どちらが最新の情報であるかを判断する最新情報判断手順と、
該最新情報判断手順によって、最新でないと判断された個人情報を、最新の情報に書き換える個人情報書き換え手順と
をコンピュータに実行させるためのプログラム。
【請求項２３】
アドレス帳の個人情報と１対１に対応するメタデータの個人情報を特定する個人情報特定手順と、
アドレス帳の個人情報の情報量と、前記個人情報特定手順によって特定されたメタデータの個人情報の情報量とを比較することによって、どちらの情報量が多いかを判断する情報量判断手順と、
該情報量判断手順によって、情報量が少ないと判断された個人情報を、情報量の多い個人情報に書き換える個人情報書き換え手順と
をコンピュータに実行させるためのプログラム。
【発明の詳細な説明】
【０００１】
【発明の属する技術分野】
本発明は、バイナリデータにメタデータを登録し、登録されたメタデータを更新するメタデータ自動作成・更新装置、メタデータ自動作成・更新方法および該作成・更新方法を実現するためのプログラムに関する。
【０００２】
【従来の技術】
メタデータとは、データに関するデータの意味で、特に、静止画像や動画像においては、被写体に関する情報や撮影条件情報などを意味する。
【０００３】
メタデータは、以前から利用され、所望のバイナリデータを検索したり、膨大な量のバイナリデータを整理するのに、用いられている（たとえば、特許文献１参照）。
【０００４】
また、メタデータとして、個人や会社の連絡先を記録しておき、その連絡先を利用する例もある（たとえば、特許文献２参照）。しかし、この場合、実際にその連絡先を利用しようとすると、住所や電話番号が変更されていて、誤った住所に手紙を送るなどの、不具合が生じる可能性がある。この問題を回避するには、連絡先を常に最新の情報に更新しておく必要がある。
【０００５】
連絡先などの個人情報を更新する方法としては、データベースとアドレス帳の同期を取る方法などが用いられている。具体的には、データベースとアドレス帳の個人情報同士の更新日時を比較して同期を取る方法が存在する（たとえば、特許文献３参照）。
【０００６】
【特許文献１】
特開平９−３３０３２５号公報
【特許文献２】
特開２０００−６７１１６号公報
【特許文献３】
特開平１１−８５７８４号公報
【０００７】
【発明が解決しようとする課題】
しかし、実際にメタデータをバイナリデータに登録して利用する機会は少ない。なぜなら、たとえば人物に関するメタデータをバイナリデータに登録するには、名前、住所、電話番号および勤務先などの膨大な量のデータを入力する必要があり、非常に煩雑な作業が伴うからである。
【０００８】
本発明は、この点に着目してなされたものであり、メタデータ登録時の煩雑な作業を簡略化することが可能となるメタデータ自動作成装置、メタデータ自動作成方法および該作成方法を実現するためのプログラムを提供することを第１の目的とする。
【０００９】
また、アドレス帳とメタデータの個人情報を同期させるような方法は存在しなかった。なぜなら、メタデータの同期を取るには、個人情報同士を一致させるなど、特別な手段が必要になるからである。
【００１０】
本発明は、この点にも着目してなされたものであり、アドレス帳などを用いて、メタデータの更新を行い、メタデータを常に最新の状態に保つことが可能となるメタデータ自動更新装置、メタデータ自動更新方法および該更新方法を実現するためのプログラムを提供することを第２の目的とする。
【００１１】
【課題を解決するための手段】
上記第１の目的を達成するため、請求項１に記載のメタデータ自動作成装置は、外部装置から送信された個人情報を受信する受信手段と、該受信手段を介して受信した個人情報に基づいて、バイナリデータに対するメタデータを作成するメタデータ作成手段とを有することを特徴とする。
【００１２】
請求項２に記載のメタデータ自動作成装置は、請求項１のメタデータ自動作成装置において、前記メタデータ作成手段によるメタデータ作成後、該当するバイナリデータにメタデータを登録するメタデータ登録手段をさらに有することを特徴とする。
【００１３】
請求項３に記載のメタデータ自動作成装置は、請求項１または２のメタデータ自動作成装置において、前記バイナリデータは、静止画像データ、動画像データまたは音声データであることを特徴とする。
【００１４】
請求項４に記載のメタデータ自動作成装置は、請求項１〜３のいずれかのメタデータ自動作成装置において、前記メタデータは、データ記述言語で記述されていることを特徴とする。
【００１５】
請求項５に記載のメタデータ自動作成装置は、請求項４のメタデータ自動作成装置において、前記データ記述言語は、ＸＭＬまたはＳＧＭＬであることを特徴とする。
【００１６】
請求項６に記載のメタデータ自動作成装置は、請求項１のメタデータ自動作成装置において、前記メタデータは、バイナリデータの末尾に付加され、またはバイナリデータのヘッダ部分に記載されていることを特徴とする。
【００１７】
請求項７に記載のメタデータ自動作成装置は、請求項１のメタデータ自動作成装置において、前記メタデータは、バイナリデータとリンクを貼ることにより、対応するバイナリデータと関連づけられていることを特徴とする。
【００１８】
請求項８に記載のメタデータ自動作成装置は、請求項１のメタデータ自動作成装置において、前記メタデータは、複数のバイナリデータとリンクを貼ることにより、対応する複数のバイナリデータと関連付けられていることを特徴とする。
【００１９】
請求項９に記載のメタデータ自動作成装置は、請求項１のメタデータ自動作成装置において、前記外部装置は、携帯情報端末または携帯電話であることを特徴とする。
【００２０】
請求項１０に記載のメタデータ自動作成装置は、請求項１のメタデータ自動作成装置において、前記個人情報は、Ｖ−Ｃａｒｄ形式、ＸＭＬまたはＣＳＶ形式で記述されていることを特徴とする。
【００２１】
請求項１１に記載のメタデータ自動作成装置は、請求項１のメタデータ自動作成装置において、前記受信手段は、赤外線ポート、ブルートゥース、無線ＬＡＮ、ＵＳＢ、シリアルポートまたはパラレルポートを用いて個人情報を受信することを特徴とする。
【００２２】
請求項１２に記載のメタデータ自動作成装置は、請求項１のメタデータ自動作成装置において、前記受信手段による個人情報の受信は、メタデータを登録する画像の撮影直前または直後に行われることを特徴とする。
【００２３】
請求項１３に記載のメタデータ自動作成装置は、請求項１のメタデータ自動作成装置において、前記受信手段による個人情報の受信は、メタデータを登録する画像の撮影後、画像を再生するモードで行われることを特徴とする。
【００２４】
上記第２の目的を達成するため、請求項１４に記載のメタデータ自動更新装置は、アドレス帳に個人情報の更新日時を記録するアドレス帳更新日時記録手段と、メタデータに個人情報の更新日時を記録するメタデータ更新日時記録手段と、アドレス帳の個人情報と１対１に対応するメタデータの個人情報を特定する個人情報特定手段と、アドレス帳更新日時記録手段によって記録されたアドレス帳の個人情報の更新日時と、前記個人情報特定手段によって特定されたメタデータの個人情報中、前記メタデータ更新日時記録手段によって記録された更新日時とを比較することによって、どちらが最新の情報であるかを判断する最新情報判断手段と、該最新情報判断手段によって、最新でないと判断された個人情報を、最新の情報に書き換える個人情報書き換え手段とを有することを特徴とする。
【００２５】
上記第２の目的を達成するため、請求項１５に記載のメタデータ自動更新装置は、アドレス帳の個人情報と１対１に対応するメタデータの個人情報を特定する個人情報特定手段と、アドレス帳の個人情報の情報量と、前記個人情報特定手段によって特定されたメタデータの個人情報の情報量とを比較することによって、どちらの情報量が多いかを判断する情報量判断手段と、該情報量判断手段によって、情報量が少ないと判断された個人情報を、情報量の多い個人情報に書き換える個人情報書き換え手段とを有することを特徴とする。
【００２６】
請求項１６に記載のメタデータ自動更新装置は、請求項１４または１５のメタデータ自動更新装置において、前記メタデータの個人情報が更新されたときに、該更新が行われたことを、当該メタデータに記述された個人情報に含まれる各人全てに対して通知する更新通知手段をさらに備えることを特徴とする。
【００２７】
請求項１７に記載のメタデータ自動更新装置は、請求項１６のメタデータ自動更新装置において、前記更新通知手段は、電子メールを用いて通知することを特徴とする。
【００２８】
上記第１の目的を達成するため、請求項１８に記載のメタデータ自動作成方法は、外部装置から送信された個人情報を、受信手段を介して受信し、前記受信手段を介して受信した個人情報に基づいて、バイナリデータに対するメタデータを作成することを特徴とする。
【００２９】
上記第２の目的を達成するため、請求項１９に記載のメタデータ自動更新方法は、アドレス帳に個人情報の更新日時を記録し、メタデータに個人情報の更新日時を記録し、アドレス帳の個人情報と１対１に対応するメタデータの個人情報を特定し、前記記録されたアドレス帳の個人情報の更新日時と、前記特定されたメタデータの個人情報中、前記記録された更新日時とを比較することによって、どちらが最新の情報であるかを判断し、該判断の結果、最新でないと判断された個人情報を、最新の情報に書き換えることを特徴とする。
【００３０】
上記第２の目的を達成するため、請求項２０に記載のメタデータ自動更新方法は、アドレス帳の個人情報と１対１に対応するメタデータの個人情報を特定し、アドレス帳の個人情報の情報量と、前記特定されたメタデータの個人情報の情報量とを比較することによって、どちらの情報量が多いかを判断し、該判断の結果、情報量が少ないと判断された個人情報を、情報量の多い個人情報に書き換えることを特徴とする。
【００３１】
上記第１の目的を達成するため、請求項２１に記載のプログラムは、外部装置から送信された個人情報を、受信手段を介して受信する受信手順と、前記受信手段を介して受信した個人情報に基づいて、バイナリデータに対するメタデータを作成するメタデータ作成手順とをコンピュータに実行させるためのものであることを特徴とする。
【００３２】
上記第２の目的を達成するため、請求項２２に記載のプログラムは、アドレス帳に個人情報の更新日時を記録するアドレス帳更新日時記録手順と、メタデータに個人情報の更新日時を記録するメタデータ更新日時記録手順と、アドレス帳の個人情報と１対１に対応するメタデータの個人情報を特定する個人情報特定手順と、アドレス帳更新日時記録手順によって記録されたアドレス帳の個人情報の更新日時と、前記個人情報特定手順によって特定されたメタデータの個人情報中、前記メタデータ更新日時記録手順によって記録された更新日時とを比較することによって、どちらが最新の情報であるかを判断する最新情報判断手順と、該最新情報判断手順によって、最新でないと判断された個人情報を、最新の情報に書き換える個人情報書き換え手順とをコンピュータに実行させるためのものであることを特徴とする。
【００３３】
上記第２の目的を達成するため、請求項２３に記載のプログラムは、アドレス帳の個人情報と１対１に対応するメタデータの個人情報を特定する個人情報特定手順と、アドレス帳の個人情報の情報量と、前記個人情報特定手順によって特定されたメタデータの個人情報の情報量とを比較することによって、どちらの情報量が多いかを判断する情報量判断手順と、該情報量判断手順によって、情報量が少ないと判断された個人情報を、情報量の多い個人情報に書き換える個人情報書き換え手順とをコンピュータに実行させるためのものであることを特徴とする。
【００３４】
【発明の実施の形態】
以下、本発明の実施の形態を図面に基づいて詳細に説明する。
【００３５】
（第１の実施の形態）
本実施の形態では、外部装置とデータの送受信を行うデジタルカメラと、ＰＤＡなどで代表される携帯情報端末を用いて、画像の撮影直後に、被写体に関するメタデータを自動的に作成し、画像に登録する方法について説明する。
【００３６】
図１は、本発明の第１の実施の形態に係るメタデータ登録・更新装置の概略システム構成を示すブロック図であり、本メタデータ登録・更新装置をデジタルカメラに適用したものである。
【００３７】
同図に示すように、デジタルカメラ１は、入力装置２と、表示装置３と、データ入出力装置４と、蓄積装置５と、ＣＰＵ６と、ＲＯＭ７と、ＲＡＭ８とにより、主として構成されている。そして、上記構成要素２〜８は、バス９を介して、相互に接続されている。
【００３８】
入力装置２は、ユーザからの指示やデータを入力するものであり、操作ボタン類を含む。
【００３９】
表示装置３は、データを表示するものであり、通常は液晶ディスプレイなどが用いられる。
【００４０】
データ入出力装置４は、外部装置とデータの入出力を行うものであり、赤外線ポート、ブルートゥース、無線ＬＡＮ（Ｌｏｃａｌ　Ａｒｅａ　Ｎｅｔｗｏｒｋ）、ＵＳＢ（Ｕｎｉｖｅｒｓａｌ　Ｓｅｒｉａｌ　Ｂｕｓ）、シリアルポート、パラレルポートなどが含まれる。
【００４１】
蓄積装置５は、画像データやメタデータなどを蓄積するものであり、通常は、ハードディスクやメモリカードなどのリムーバルメディアが用いられる。
【００４２】
ＣＰＵ６は、上述した各構成要素の処理の全てに関わる。
【００４３】
ＲＯＭ７およびＲＡＭ８は、ＣＰＵ６が実行する処理に必要なプログラム、データおよび作業領域などをＣＰＵ６に提供する。また、以降のフローチャートの処理に必要な制御プログラムは、蓄積装置５に格納されているか、ＲＯＭ７に格納されているものとする。蓄積装置５に格納されている場合は、一旦ＲＡＭ８に読み込まれてから実行される。
【００４４】
なお、デジタルカメラには、上記以外にも、様々な構成要素が存在するが、本発明の特徴ではないので、その説明は省略する。
【００４５】
図２は、デジタルカメラ１の外観を表した図である。
【００４６】
カメラ１には、撮影モードと再生モードの２つのモードがあり、画像を撮影する際には撮影モードを用い、画像を閲覧する際には再生モードを用いる。
【００４７】
撮影ボタン１１は、画像を撮影する際に用いる。
【００４８】
フラッシュ１２は、周囲が暗いときなどに用いる。
【００４９】
レンズ１３は、カメラ１に光を取り込む際に用いられる。
【００５０】
カードスロット１４は、メモリカード２１などのリムーバルメディアを格納し、データを入出力するためのものである。
【００５１】
赤外線ポート１５は、外部装置とデータの送受信を行うためのものであり、受信モードがＯＮの場合にのみ、データの受信が行える。もちろん、赤外線以外にも、ブルートゥースや無線ＬＡＮなど、データを送受信できるのものなら、何でもよい。
【００５２】
受信モードランプ１６は、赤外線ポート１５がデータの送受信を行えるモードになっているかどうかを知らせるためのランプで、データの送受信を行える場合は、点滅して、それを知らせる。
【００５３】
メモリカード２１は、データを蓄積するためのリムーバルメディアで、画像データやメタデータが記録される。
【００５４】
液晶ディスプレイ１７は、撮影した画像データやメタデータを閲覧することができる。
【００５５】
操作ボタン類１８は、カメラの撮影モードと再生モードの切り替えや、画像に登録されたメタデータを閲覧や、赤外線ポート１５の受信モードのＯＮ／ＯＦＦに用いられる。ボタンの種類には、上下左右の方向キーや、ＯＫボタン、Ｃａｎｃｅｌボタン、受信モードランプ１６の点滅を制御する受信モードＯＮ／ＯＦＦボタンなどが含まれる。
【００５６】
図３は、液晶ディスプレイ１７に、画像データと、画像データに登録されたメタデータが表示されている様子を示した図である。
【００５７】
同図に示すように、画像１７ａに対して、メタデータ１７ｂが登録されており、操作ボタン類１８を用いて、カメラ１を再生モードにすると、その内容を見ることができる。
【００５８】
図４は、メタデータ１７ｂの記述例（フォーマット）を示す図である。
【００５９】
同図に示すように、画像データに登録する際には、ＸＭＬ（Ｅｘｔｅｎｓｉｂｌｅ　Ｍａｒｋｕｐ　Ｌａｎｇｕａｇｅ）で記述する。もちろん、ＸＭＬ以外にも、ＳＧＭＬ（Ｓｔａｎｄａｒｄ　Ｇｅｎｅｒａｌｉｚｅｄ　Ｍａｒｋｕｐ　Ｌａｎｇｕａｇｅ）、ＣＳＶ（Ｃｏｍｍａ　Ｓｅｐａｒａｔｅｄ　Ｖａｌｕｅ）など、データを記述できるものなら、何を採用してもよい。
【００６０】
図５は、図４のメタデータを画像データに登録する方法の一例を示した概略図である。
【００６１】
図５に示すように、画像データの末尾に、メタデータを付加する形式になっている。もちろん、この方法以外にも、画像データのヘッダ部分にメタデータを記述する方法でも構わないし、メタデータを別ファイルとして持ち、画像データには、メタデータファイルへのリンクのみを記述するような方法であっても構わない。
【００６２】
図６は、デジタルカメラ１に、個人情報を送信する携帯情報端末（ＰＤＡ）３０の外観を示す図である。
【００６３】
同図において、赤外線ポート３１は、外部装置とデータの送受信を行うためのものである。もちろん、これ以外にも、ブルートゥースや無線ＬＡＮなど、データを送受信できるのものなら、どのようなものを備えていてもよい。
【００６４】
ディスプレイ３２には、携帯情報端末３０のアプリケーションのＧＵＩ（Ｇｒａｐｈｉｃａｌ　Ｕｓｅｒ　Ｉｎｔｅｒｆａｃｅ）などが表示される。
【００６５】
操作ボタン類３３は、アプリケーションの操作に用いられる。
【００６６】
また、携帯情報端末としては、この図に記載したＰＤＡなどのほかにも、携帯電話など、個人情報が記録され、かつデータ送信の行えるものであれば何でもよい。
【００６７】
図７は、携帯情報端末３０上のアドレス帳を開いた様子を示した図である。
【００６８】
同図に示すように、アドレス帳を開くと（アプリケーションを立ち上げると）、アドレス帳３２ａのようなＧＵＩが表示される。そして、選択項目を所望の人名３２ｂに移動させると、その人の個人情報を見ることができる。
【００６９】
また、このアドレス帳の個人情報は、Ｖ−Ｃａｒｄ４１のように、他の形式にエクスポート可能である。
【００７０】
図８は、携帯情報端末３０ａ，３０ｂからデジタルカメラ１に、図７における個人情報（Ｖ−Ｃａｒｄ４１）を送信する様子を表した図である。
【００７１】
同図において、受信モードランプ１６が点滅している間に、デジタルカメラ１に対して、複数の携帯情報端末３０ａ，３０ｂから、それぞれＶ−Ｃａｒｄ形式の個人情報を送信することができる。
【００７２】
もちろん、個人情報の記述形式は、ＸＭＬなど、個人情報を記述できるものなら何でもよい。
【００７３】
図９は、実際に画像データを撮影し、その直後に、画像データにメタデータを登録する手順を示すフローチャートである。
【００７４】
同図において、まず、ステップＳ１では、デジタルカメラ１を用いて画像を撮影する。このとき、人物「鈴木一郎」と「佐藤次郎」が被写体であったとする。撮影が終了すると、撮影された画像データは、図２の液晶ディスプレイ１７に数秒間表示される。
【００７５】
次に、ステップＳ２では、撮影画像が液晶ディスプレイ１７に表示されている間に、図２の操作ボタン類１８の受信モードＯＮ／ＯＦＦボタンを押し、赤外線ポートのデータ受信モードをＯＮにする。すると、図８の受信モードランプ１６が点滅を開始する。
【００７６】
ステップＳ３では、携帯情報端末３０から個人情報（この場合は、Ｖ−Ｃａｒｄ形式）を赤外線ポート１５経由で、デジタルカメラ１に送信する。
【００７７】
ステップＳ４では、携帯情報端末３０から送信された個人情報を、デジタルカメラ１が赤外線ポート１５経由で、受信する。受信された個人情報は、一旦ＲＡＭ９に格納される。
【００７８】
ステップＳ１５では、ＲＡＭ９に格納された個人情報を、Ｖ−Ｃａｒｄ形式からＸＭＬ形式に変換する。図１０は、このときの変換される様子を示す図である。ＸＭＬに変換された個人情報は、さらに、画像に登録する形式である、メタデータに成形される。図１１は、この様子を示す図である。ＸＭＬに変換された、追加用個人情報４３は、メタデータに追加記述される。メタデータには、個人情報のみでなく、画像の撮影された条件、画像の構成などの、画像全般に関わるデータが記述されている。
【００７９】
ステップＳ６では、全ての被写体（人）について、個人情報が入力されたかどうかを判断する。この場合は、まだ「佐藤次郎」に関する個人情報を入力していないので、ステップＳ３に戻る。そして、同様の手法で、「佐藤次郎」に関する個人情報を入力する。このとき、使用する携帯情報端末は、「鈴木一郎」の個人情報を入力する際に用いた、携帯情報端末とは異なるものであっても構わない。このようにして、図１１に示すように、ＸＭＬに変換された、「佐藤次郎」に関する個人情報が、メタデータ中、追加用個人情報４３の後に、追加用個人情報４４として追加記述される。
【００８０】
以上の操作で、個人情報の入力が完了したので、ステップＳ６の判断において、ステップＳ７に進む。
【００８１】
ステップＳ７では、操作ボタン類１８の受信モードＯＮ／ＯＦＦボタンを用いて、赤外線ポートのデータ受信モードをＯＦＦにする。このとき、図８の受信モードランプ１６の点滅が消える。
【００８２】
ステップＳ８では、作成したメタデータを画像に登録し、次の画像の撮影モードに移る。
【００８３】
ステップＳ９は、撮影を続けるかどうかを判断するステップで、続ける場合は、ステップＳ１に戻り、続けない場合は、全ての作業を終了する。
【００８４】
以上のように、本実施の形態では、デジタルカメラで画像を撮影した後に、個人情報を他の携帯情報端末から送信するのみで、被写体に関するメタデータを自動的に作成することができ、画像データにメタデータを登録することができる。また、登録した情報は、図３のように閲覧できる。
【００８５】
（第２の実施の形態）
本実施の形態では、カメラの再生モード時に、複数の画像に対して、被写体に関するメタデータを自動的に作成し、画像に登録する方法について説明する。
【００８６】
本実施の形態におけるシステム構成および使用する機器などについては、上記第１の実施の形態のそれを用いればよいので、その説明を省略する。
【００８７】
図１２は、再生モード時のメタデータ登録の手順を示すフローチャートである。
【００８８】
同図において、まず、ステップＳ１１では、画像を複数枚撮影する。
【００８９】
撮影が終了すると、ステップＳ１２で、カメラ１を再生モードに切り替える。
【００９０】
ステップＳ１３では、メタデータを登録したい画像を選択する。画像選択は、図１３に示すように、カメラ１の液晶ディスプレイ１７を用いて行われる。カメラ１を再生モードにすると、（ａ）にように、撮影した画像のサムネイル１７ｄが４列×４行で表示される。その際、画像を選択するカーソル１７ｃが左上に表示される。カーソル１７ｃを、（ｂ）のように、上下左右方向キーで動かし、ＯＫボタンを押すと、（ｃ）のように、画像が選択され、太線になる。この際、カーソルは左上に戻る。（ｄ）のように、同様の操作を繰り返すことによって、（ｅ）のように、複数の画像を選択することができる（画面１７−４および１７−５）。
【００９１】
ステップＳ１４では、図２の操作ボタン類１８の受信モードＯＮ／ＯＦＦボタンを押すことにより、赤外線ポート１５のデータ受信モードがＯＮになる。
【００９２】
ステップＳ１５で、携帯情報端末３０からデータを送信すると、メタデータの作成が自動的に行われる。
【００９３】
ステップＳ１６は、選択した画像について、データ入力が全て完了したかどうかを判断するステップで、終了していない場合は、ステップＳ１３に戻り、データ入力を繰り返す。終了している場合は、ステップＳ１７に進む。
【００９４】
ステップＳ１７では、操作ボタン類１８の受信モードＯＮ／ＯＦＦボタンを押すことにより、赤外線ポート１５のデータ受信モードをＯＦＦにする。
【００９５】
ステップＳ１８では、作成したメタデータを選択された画像に登録する。
【００９６】
以上のように、本実施の形態では、カメラを再生モードにして、外部装置よりデータを受信すると、複数の画像データに対するメタデータを自動的に作成でき、そのメタデータを登録することが可能である。また、登録した情報は、図３のように閲覧できる。
【００９７】
（第３の実施の形態）
本実施の形態では、撮影者に関するメタデータを自動的に作成し、画像に登録する方法について説明する。
【００９８】
本実施の形態におけるシステム構成および使用する機器などについては、前記第１の実施の形態のそれを用いればよいので、その説明を省略する。
【００９９】
図１４は、携帯情報端末３０から個人情報を受信し、その個人情報を基に、複数の画像データに、撮影者に関するメタデータを登録する手順を示すフローチャートである。
【０１００】
同図において、まず、ステップＳ２１では、カメラ１を撮影モードに切り替える。
【０１０１】
次に、ステップＳ２２では、図２の操作ボタン類１８の受信モードＯＮ／ＯＦＦボタンを押し、赤外線ポート１５の受信モードをＯＮにする。
【０１０２】
ステップＳ２３では、携帯情報端末３０から個人情報を受信し、受信されたデータを、前記図１０を用いて説明したように、ＸＭＬに変換する。そして、前記図１１の撮影者情報４５のように、撮影者としてメタデータに記述し、メタデータを作成する。
【０１０３】
ステップＳ２４では、操作ボタン類１８の受信モードＯＮ／ＯＦＦボタンを押し、赤外線ポートのデータ受信モードをＯＦＦにする。
【０１０４】
ステップＳ２５では、画像を撮影する。
【０１０５】
ステップＳ２６では、撮影した画像に、作成したメタデータを登録する。
【０１０６】
ステップＳ２７は、撮影を終了するかどうかを判断するステップで、もし、撮影を続けるのならば、ステップＳ２５に戻る。撮影を終了する場合は、全ての作業を終了する。
【０１０７】
以上のように、本実施の形態では、撮影を開始する前に、撮影者の個人情報をカメラに送信することによって、以降撮影する全ての画像データに、撮影者の情報を自動的に登録することが可能である。また、登録した情報は、図３のように閲覧できる。
【０１０８】
なお、本実施の形態では、バイナリデータとして、静止画像データを用いたが、もちろん、音声データや動画像データであっても構わない。同様に、画像を撮影した機器も、デジタルカメラでなくても、デジタルビデオカメラのように、画像を撮影できるものであれば、何でも構わないし、携帯情報端末も、携帯電話のように、個人情報が記憶されているものなら、何でも構わない。
【０１０９】
（第４の実施の形態）
本実施の形態では、アドレス帳のデータを変更し、その変更点を静止画像に登録されたメタデータに反映させる方法を説明する。
【０１１０】
本実施の形態におけるシステム構成および使用する機器などについては、前記第１の実施の形態のそれを用いればよいので、その説明を省略する。
【０１１１】
図１５は、静止画像とメタデータを説明するための図である。
【０１１２】
同図に示すように、画像データ５１に対して、メタデータ５２が登録される。登録されている内容には、名前、住所、電話番号および勤務先などのデータが含まれる。
【０１１３】
図１６は、実際に記述されているメタデータの一例を示す図である。
【０１１４】
このように、メタデータはＸＭＬなどのデータ記述言語で記述されており、データの更新日時情報である“ＴＩＭＥＳＴＡＭＰ”を含んでいる。ここでは、ＸＭＬによる記述例しか示されていないが、もちろん、ＳＧＭＬやＣＳＶなど、データを記述できるものなら何でもよい。
【０１１５】
画像データにメタデータを登録するには、たとえば前記図５のように、画像データの末尾に、メタデータを付加する方法を用いればよい。もちろん、この方法以外にも、画像データのヘッダ部分にメタデータを記述する方法でも構わないし、メタデータを別ファイルとして持ち、画像データには、メタデータファイルへのリンクのみを記述するような方法であっても構わない。
【０１１６】
図１７は、アドレス帳のデータを変更して、その変更点をメタデータに反映させる手順を示すフローチャートである。
【０１１７】
同図において、まず、ステップＳ３１では、アドレス帳の個人情報を書き換える。ここでは、「鈴木一郎」の個人情報を変更したことにする。変更後のアドレス帳の内容を図１８のアドレス帳３２ａに示す。このとき、変更した日時が、更新日時として、アドレス帳に登録される。
【０１１８】
次に、ステップＳ３２では、メタデータの内容を変更するための、メタデータ編集アプリケーションを立ち上げる。このアプリケーションの概要を、図１８のメタデータ編集アプリケーション６１に示す。
【０１１９】
ステップＳ３３では、アドレス帳の変更を反映させたい画像を開く。画像を開くには、図１８のファイルオープンボタン６２をクリックし、ダイアログから、画像を選択する。画像を開くと、画像ウィンドウ６５に、画像が表示される。また、メタデータの読み込みも同時に行われ、カーソル６６を人物の顔に合わせると、その人物に関する個人情報が、メタデータウィンドウ６７に表示される。
【０１２０】
ステップＳ３４では、アドレス帳とメタデータの同期を開始する。図６のシンクロボタン６３をクリックすることにより、同期が開始される。
【０１２１】
ステップＳ３５では、読み込んだメタデータから、ある１つの個人情報を抽出する。ここでは、「鈴木一郎」に関する個人情報を抽出したとする。
【０１２２】
ステップＳ３６では、抽出したメタデータの個人情報に対応する（同期を取る）、アドレス帳の個人情報を特定する。つまり、アドレス帳から、「鈴木一郎」に関する個人情報を探し出す作業を行う。この個人情報の特定の詳細については、図１９を用いて後述する。
【０１２３】
特定できた場合は、ステップＳ３７に進み、できなかった場合は、ステップＳ３８に進む。
【０１２４】
ステップＳ３７では、メタデータの「鈴木一郎」に関する個人情報の更新日時と、アドレス帳の「鈴木一郎」に関する個人情報の更新日時とを比較し、古い情報を、新しい情報で書き換える。ここでは、メタデータの更新日時の方が古いので、メタデータを書き換える。
【０１２５】
ステップＳ３８では、メタデータ中の全ての個人情報について、同期をとったかどうかを判断する。もし、まだ同期を取っていない個人情報があるのなら、ステップＳ３５に戻る。全て同期を取っているのなら、ステップＳ３９に進む。
【０１２６】
ステップＳ３９では、同期を終了し、全ての作業を終了する。
【０１２７】
図１９は、図１７のステップＳ３６における、メタデータの個人情報に対応する（同期を取る）、アドレス帳の個人情報を特定する手順を示すフローチャートである。メタデータから抽出した個人情報を、個人情報Ｍとする。
【０１２８】
同図において、まず、ステップＳ４１では、アドレス帳からも、ある１つの個人情報を抽出する。この個人情報を、個人情報Ａとする。
【０１２９】
次に、ステップＳ４２では、名前、メールアドレスおよび携帯電話番号などの、単独で個人を特定できる情報について、個人情報Ｍと個人情報Ａとを比較する。もし、３つの情報のうち、どれか１つが一致すれば、個人情報Ａを、個人情報Ｍに対応する個人情報として、特定する。どれも一致しなければ、ステップＳ４３に進む。
【０１３０】
ステップＳ４３では、名前、メールアドレス、携帯電話番号以外の、単体で個人を特定できない（他の個人情報と重なる可能性のある）情報について比較を行う。一致するものがあった場合は、ステップＳ４４に、なかった場合は、ステップＳ４５に進む。
【０１３１】
ステップＳ４４では、個人情報Ａを特定候補に加える。
【０１３２】
ステップＳ４５は、アドレス帳の全ての個人情報について、ステップＳ４２〜Ｓ４４までの操作を行ったかどうかを判断するステップである。全ての個人情報について、操作を行っていないのなら、ステップＳ４１に戻り、行っているのなら、ステップＳ４６に進む。
【０１３３】
ステップＳ４６は、特定候補があるかどうかを判断するステップで、特定候補がある場合は、ステップＳ４７に進み、ない場合は、そのまま作業を終了する。
【０１３４】
ステップＳ４７では、特定候補の中から、個人情報Ｍに対応するアドレス帳個人情報を、ユーザに選択させる。
【０１３５】
以上の操作によって、メタデータの個人情報に対応する、アドレス帳の個人情報を特定することができる。
【０１３６】
このように、本実施の形態では、同期命令を送るのみで、アドレス帳に加えた変更を、画像データに登録されたメタデータに反映させることができ、メタデータの個人情報を常に最新の状態に保つことができる。また、メタデータの変更を通知するために、メタデータに記述されている全ての個人情報に対して、メタデータの更新が行われたことを知らせるメールが送られるような仕組みも考えられる。
【０１３７】
（第５の実施の形態）
本実施の形態では、画像に登録されたメタデータを変更し、その変更をアドレス帳に反映させる方法について説明する。
【０１３８】
本実施の形態におけるシステム構成および使用する機器などについては、前記第１の実施の形態のそれを用いればよいので、その説明を省略する。
【０１３９】
図２０は、メタデータを修正し、その変更をアドレス帳に反映させる手順を示すフローチャートである。
【０１４０】
同図において、まず、ステップＳ５１では、図１８のメタデータ編集アプリケーション６１を立ち上げる。
【０１４１】
次に、ステップＳ５２では、メタデータを修正する画像を開く。
【０１４２】
ステップＳ５３では、メタデータの修正を行う。図１８のメタデータ編集ボタン６４をクリックすると、メタデータの修正を開始できる。修正後のメタデータを、メタデータウィンドウ６７に示す。このとき、メタデータの更新日時が、メタデータに登録される。
【０１４３】
ステップＳ５４で、図１８のシンクロボタン６３をクリックすることにより、アドレス帳との同期が開始する。
【０１４４】
ステップＳ５５では、読み込んだメタデータから、ある１つの個人情報を抽出する。
【０１４５】
ステップＳ５６では、抽出した個人情報に対応する（同期を取る）、アドレス帳の個人情報を特定する。この個人情報の特定については、図１９において説明済みであるので、ここでは省略する。個人情報が特定できた場合は、ステップＳ５７に進み、できなかった場合は、ステップＳ５８に進む。
【０１４６】
ステップＳ５７では、メタデータの個人情報の更新日時と、アドレス帳の個人情報の更新日時とを比較し、古い情報を新しい情報で書き換える。ここでは、アドレス帳の更新日時の方が古いので、アドレス帳を書き換える。
【０１４７】
ステップＳ５８では、メタデータ中の全ての個人情報について同期をとったかどうかを判断する。もし、まだ同期を取っていない個人情報があるのなら、ステップＳ５５に戻る。全て同期をとっているのなら、ステップＳ５９に進む。
【０１４８】
ステップＳ５９では、同期を終了し、全ての作業を終了する。
【０１４９】
このように、本実施の形態では、メタデータに変更を加えても、同期命令を送信するのみで、その変更をアドレス帳に反映させることができ、アドレス帳の個人情報を常に最新の状態に保つことができる。
【０１５０】
（第６の実施の形態）
本実施の形態では、ＷＥＢ等で、複数の人で共有する画像があり、その画像のメタデータが、他の人によって更新されているような場合に、そのメタデータと、自身のアドレス帳との同期を取る方法について説明する。
【０１５１】
本実施の形態におけるシステム構成および使用する機器などについては、前記第１の実施の形態のそれを用いればよいので、その説明を省略する。
【０１５２】
図２１は、ＷＥＢ上の画像のメタデータとアドレス帳との同期を取る手順を示すフローチャートである。
【０１５３】
同図において、まず、ステップＳ６１では、ＷＥＢブラウザを立ち上げ、画像が掲載されているＷＥＢページを表示する。この様子を図２２に表す。ＷＥＢブラウザ７１に画像７２が表示され、さらに、メタデータ７３も表示されている。
【０１５４】
次に、ステップＳ６２では、ＷＥＢページの同期ボタン７４をクリックし、アドレス帳と画像のメタデータの同期を開始する。
【０１５５】
ステップＳ６３では、メタデータから、ある１つの個人情報を抽出する。
【０１５６】
ステップＳ６４では、抽出したメタデータの個人情報と対応する（同期を取る）、アドレス帳の個人情報を特定する。特定方法については、図１９において説明済みであるので、ここでは省略する。特定ができた場合は、ステップＳ６５に進み、できなかった場合は、ステップＳ６９に進む。
【０１５７】
ステップＳ６５では、メタデータの個人情報の更新日時と、アドレス帳の個人情報の更新日時とを比較する。
【０１５８】
ステップＳ６６は、比較した結果を判断するステップで、もし、アドレス帳の更新日時の方が新しいのなら、ステップＳ６７に進み、メタデータの更新日時の方が新しいのなら、ステップＳ６８に進む。
【０１５９】
ステップＳ６７は、メタデータの個人情報を書き換えるステップで、アドレス帳の個人情報から、データを読み取り、書き換える。
【０１６０】
ステップＳ６８は、アドレス帳の個人情報を書き換えるステップで、メタデータの個人情報からデータを読み取り、書き換える。
【０１６１】
ステップＳ６９は、メタデータの全ての個人情報について、アドレス帳の個人情報と、同期を取ったかどうかを判断するステップである。もし、まだ同期を取っていない個人情報があるのなら、ステップＳ６３に戻る。全ての個人情報について同期を取ったのであれば、全ての処理を終了する。
【０１６２】
このように、本実施の形態では、同期命令を送信するのみで、複数の人間で共有するメタデータとアドレス帳の同期を取ることができ、メタデータの個人情報や、アドレス帳の個人情報を常に最新の情報に保つことができる。また、メタデータの変更を通知するために、メタデータに記述されている全ての個人情報に対して、メタデータの更新が行われたことを知らせるメールが送られるような仕組みも考えられる。
【０１６３】
（第７の実施の形態）
本実施の形態では、画像データに登録されたメタデータに、個人情報として、名前などの最小限の情報を登録し、残りの情報を後から追加していく方法について説明する。前記第４〜第６の実施の形態では、更新日時を用いて、同期を取っていたが、ここでは情報量を基に同期を取る。
【０１６４】
本実施の形態におけるシステム構成および使用する機器などについては、前記第１の実施の形態のそれを用いればよいので、その説明を省略する。
【０１６５】
図２３は、ＷＥＢ上に掲載された画像に、必要最小限の個人情報を登録した後、他の情報を追加する手順を示すフローチャートである。ここでは、図２４を例に挙げて説明する。
【０１６６】
図２３において、まず、ステップＳ７１では、人物Ａが最小限の個人情報を登録したメタデータを作成し、ＷＥＢ上の画像８１に登録する。最小限の個人情報とは、人物Ａに関する全ての情報（名前、住所、電話番号、勤務先およびメールアドレスなど）と、人物Ｂの名前とメールアドレス、人物Ｃの名前とメールアドレスである。
【０１６７】
次に、ステップＳ７２では、登録された個人情報に対して、メールを送信し、画像の掲載されているＵＲＬ（Ｕｎｉｆｏｒｍ　Ｒｅｓｏｕｒｃｅ　Ｌｏｃａｔｏｒｓ）を知らせる。この場合は、人物Ｂと人物Ｃに対して、メールを送信する。
【０１６８】
ステップＳ７３では、メールを受信した人物Ｂと人物Ｃは、指定されたＵＲＬにアクセスする。
【０１６９】
ステップＳ７４では、人物Ｂと人物Ｃは、画像８１に登録されたメタデータと、自身の持つアドレス帳とで同期を開始する。このとき、画像８１には、人物Ｂと人物Ｃに関する情報が、名前とメールアドレスしか付加されていない。一方、人物Ｂや人物Ｃが保有する自身のアドレス帳には、自身の個人情報が全て納められている。当然、ここでは人物Ｂや人物Ｃのアドレス帳の方が、人物Ｂ，Ｃに関する情報を、メタデータよりも多く持つので、ステップＳ７５において、情報量の少ないメタデータの情報を、アドレス帳の情報で書き換える。つまり、メタデータに対して、アドレス帳の情報を追加する。これで、全ての処理を終了する。
【０１７０】
このように、本実施の形態では、情報量により同期を取ることで、必要最小限の個人情報を登録しておくだけで、順次情報を追加していくことが可能である。
【０１７１】
なお、本実施の形態では、バイナリデータとして、静止画像データを用いたが、もちろん、音声データや、動画像データであっても構わない。
【０１７２】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【０１７３】
この場合、記憶媒体から読出されたプログラムコード自体が本発明の新規な機能を実現することになり、そのプログラムコードを記憶した記憶媒体は本発明を構成することになる。
【０１７４】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【０１７５】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【０１７６】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【０１７７】
【発明の効果】
以上説明したように、本発明によれば、携帯情報端末等より、個人情報を送信するのみで、煩雑な操作を行うことなく、容易に画像にメタデータを登録できる。
【０１７８】
また、本発明によれば、画像データに登録されたメタデータの個人情報を常に、最新の状態に保つことができ、実際にその個人情報を利用する際の不具合を避けることができる。
【図面の簡単な説明】
【図１】本発明の第１の実施の形態に係るメタデータ登録・更新装置の概略システム構成を示すブロック図であり、本メタデータ登録・更新装置をデジタルカメラに適用したものである。
【図２】図１のデジタルカメラの外観を表した図である。
【図３】図２の液晶ディスプレイに、画像データと、画像データに登録されたメタデータが表示されている様子を示した図である。
【図４】メタデータの記述例（フォーマット）を示す図である。
【図５】図４のメタデータを画像データに登録する方法の一例を示した概略図である。
【図６】図１のデジタルカメラに、個人情報を送信する携帯情報端末（ＰＤＡ）の外観を示す図である。
【図７】図６の携帯情報端末上のアドレス帳を開いた様子を示した図である。
【図８】携帯情報端末からデジタルカメラに、図７における個人情報（Ｖ−Ｃａｒｄ４１）を送信する様子を表した図である。
【図９】実際に画像データを撮影し、その直後に、画像データにメタデータを登録する手順を示すフローチャートである。
【図１０】図１のＲＡＭに格納された個人情報を、Ｖ−Ｃａｒｄ形式からＸＭＬ形式に変換するときの様子を示す図である。
【図１１】ＸＭＬに変換された個人情報が、さらにメタデータに成形されるときの様子を示す図である。
【図１２】再生モード時のメタデータ登録の手順を示すフローチャートである。
【図１３】複数枚撮影された画像から、メタデータを登録したい画像を選択する方法を説明するための図である。
【図１４】携帯情報端末から個人情報を受信し、その個人情報を基に、複数の画像データに、撮影者に関するメタデータを登録する手順を示すフローチャートである。
【図１５】静止画像とメタデータを説明するための図である。
【図１６】実際に記述されているメタデータの一例を示す図である。
【図１７】アドレス帳のデータを変更して、その変更点をメタデータに反映させる手順を示すフローチャートである。
【図１８】図１７の手順を説明するための図である。
【図１９】図１７のステップＳ３６における、メタデータの個人情報に対応する（同期を取る）、アドレス帳の個人情報を特定する手順を示すフローチャートである。
【図２０】メタデータを修正し、その変更をアドレス帳に反映させる手順を示すフローチャートである。
【図２１】ＷＥＢ上の画像のメタデータとアドレス帳との同期を取る手順を示すフローチャートである。
【図２２】ＷＥＢブラウザを立ち上げ、画像が掲載されているＷＥＢページを表示したときの様子を示す図である。
【図２３】ＷＥＢ上に掲載された画像に、必要最小限の個人情報を登録した後、他の情報を追加する手順を示すフローチャートである。
【図２４】図２３の手順を説明するための図である。
【符号の説明】
１　デジタルカメラ
２　入力装置
３　表示装置
４　データ入出力装置
５　蓄積装置
６　ＣＰＵ
７　ＲＯＭ
８　ＲＡＭ
９　バス
１１　撮影ボタン
１２　フラッシュ
１３　レンズ
１４　カードスロット
１５　赤外線ポート
１６　受信モードランプ
１７　液晶ディスプレイ
１８　操作ボタン類
２１　メモリカード
３０，３０ａ，３０ｂ　携帯情報端末
３１　赤外線ポート
３２　ディスプレイ
３３　操作ボタン類
【図１】
2004133536.tif 000003
【図２】
2004133536.tif 000004
【図３】
2004133536.tif 000005
【図４】
2004133536.tif 000006
【図５】
2004133536.tif 000007
【図６】
2004133536.tif 000008
【図７】
2004133536.tif 000009
【図８】
2004133536.tif 000010
【図９】
2004133536.tif 000011
【図１０】
2004133536.tif 000012
【図１１】
2004133536.tif 000013
【図１２】
2004133536.tif 000014
【図１３】
2004133536.tif 000015
【図１４】
2004133536.tif 000016
【図１５】
2004133536.tif 000017
【図１６】
2004133536.tif 000018
【図１７】
2004133536.tif 000019
【図１８】
2004133536.tif 000020
【図１９】
2004133536.tif 000021
【図２０】
2004133536.tif 000022
【図２１】
2004133536.tif 000023
【図２２】
2004133536.tif 000024
【図２３】
2004133536.tif 000025
【図２４】
2004133536.tif 000026